(57)【要約】【課題】  カードにかかる荷重が強くても、取付対象物への固定部が破壊されないカード用コネクタを提供する。【解決手段】  カード用コネクタは、コンタクト５と、コンタクトを保持するインシュレータ４と、カードの受容部を構成するカバー２と、取付対象物への固定部が設けられるストッパ６とを有する。インシュレータは凸部４ａを有し、ストッパは凹部６ｂ２を有し、凸部と凹部とが係合することによって、インシュレータがストッパを介して取付対象物に固定される。カードがカード用コネクタに挿入された際、ストッパは、カードの先端と当接する当接部（突き当て面）６ｂ３を有する。【選択図】  図２
2005203327.tif 000002
【特許請求の範囲】
【請求項１】
カードと接続するカード用コネクタにおいて、
前記カード用コネクタは、コンタクトと、前記コンタクトを保持するインシュレータと、前記カードの受容部を構成するカバーと、取付対象物への固定部が設けられるストッパとを有し、
前記ストッパは、前記カードが挿入された際、前記カードと当接する当接部を有することを特徴とするカード用コネクタ。
【請求項２】
前記インシュレータは被係合部を有し、前記ストッパは係合部を有し、前記被係合部と前記係合部とが係合することによって、前記インシュレータが前記ストッパを介して前記取付対象物に固定されることを特徴とする請求項１記載のカード用コネクタ。
【請求項３】
前記ストッパは前記カードが前記カードの厚さ方向に移動することを防止するひさしを有することを特徴とする請求項１記載のカード用コネクタ。
【請求項４】
前記カバーに前記ストッパと係合する舌片が設けられ、前記舌片は前記カードが前記カードの厚さ方向に移動することを防止することを特徴とする請求項１記載のカード用コネクタ。
【請求項５】
前記カード用コネクタは前記カードと共に移動するイジェクタを有し、前記イジェクタは、前記カードが挿入された際、前記ストッパの当接部と当接することを特徴とする請求項１記載のカード用コネクタ。
【請求項６】
前記ストッパの円柱が前記取付対象物の孔に挿入されることによって位置決めされることを特徴とする請求項１記載のカード用コネクタ。
【発明の詳細な説明】
【技術分野】
【０００１】
本発明は、ノートブック型パーソナル・コンピュータ、ＰＤＡ（携帯情報端末）及びデジタル・カメラ等の機能拡張用カードの接続に使用されるコネクタに関する。
【背景技術】
【０００２】
従来のカード用コネクタは、インシュレータと、インシュレータに保持されるコンタクトと、カバーと、カバーにスライド可能に保持されるイジェクタとから構成される。イジェクタは、スプリングによってカードを排出する方向に常時付勢している。そして、カード用コネクタをプリント基板に固定する場合、コンタクトの半田付け部をプリント基板に半田付けする。
【０００３】
カードをカード用コネクタに挿入すると、カードの先端はインシュレータに当接するので、カードにかかる荷重はコンタクトによって受けられる。
【発明の開示】
【発明が解決しようとする課題】
【０００４】
前記従来のカード用コネクタにおいては、カードにかかる荷重が強いと、コンタクトの半田付け部が破壊される欠点が生じる。
【０００５】
そこで、本発明は、前記従来のカード用コネクタの欠点を改良し、カードにかかる荷重が強くても、プリント基板等の取付対象物への固定部が破壊されないカード用コネクタを提供しようとするものである。
【課題を解決するための手段】
【０００６】
本発明は、前記課題を解決するため、次の手段を採用する。
【０００７】
１．カードと接続するカード用コネクタにおいて、前記カード用コネクタは、コンタクトと、前記コンタクトを保持するインシュレータと、前記カードの受容部を構成するカバーと、取付対象物への固定部が設けられるストッパとを有し、前記ストッパは、前記カードが挿入された際、前記カードと当接する当接部を有するカード用コネクタ。
【０００８】
２．前記インシュレータは被係合部を有し、前記ストッパは係合部を有し、前記被係合部と前記係合部とが係合することによって、前記インシュレータが前記ストッパを介して前記取付対象物に固定される前記１記載のカード用コネクタ。
【０００９】
３．前記ストッパは前記カードが前記カードの厚さ方向に移動することを防止するひさしを有する前記１記載のカード用コネクタ。
【００１０】
４．前記カバーに前記ストッパと係合する舌片が設けられ、前記舌片は前記カードが前記カードの厚さ方向に移動することを防止する前記１記載のカード用コネクタ。
【００１１】
５．前記カード用コネクタは前記カードと共に移動するイジェクタを有し、前記イジェクタは、前記カードが挿入された際、前記ストッパの当接部と当接する前記１記載のカード用コネクタ。
【００１２】
６．前記ストッパの円柱が前記取付対象物の孔に挿入されることによって位置決めされる前記１記載のカード用コネクタ。
【発明の効果】
【００１３】
明細書の説明から明らかなように、本発明は、次の効果を奏する。
【００１４】
１．ストッパに取付対象物への固定部が設けられ、カードはストッパの当接部に当接するので、カードにかかる荷重が強くても、荷重をストッパが受け、コンタクトの半田付け部に影響を及ぼさない。
【００１５】
２．カード用コネクタは、コンタクトと、インシュレータと、カバーと、ストッパとから構成されるので、コンパクト化を図ることができ、また、コストが安価になる。
【００１６】
３．ストッパにひさしを設けること、又は、カバーにストッパと係合する舌片を設けることによって、カードの浮き上がりを防止することができる。
【００１７】
４．ストッパを取付対象物の所定の箇所に簡易に、かつ、正確に位置決めすることができる。
【発明を実施するための最良の形態】
【００１８】
本発明の２つの実施例のカード用コネクタについて説明する。
【実施例１】
【００１９】
本発明の実施例１について図１〜図６を参照して説明する。
【００２０】
図１は、カード用コネクタ１にカード１１が挿入された状態を示す全体の斜視図である。カード用コネクタ１のカバー２は、カード受容部を構成する。カバー２は、幅広部２ａと幅狭部２ｂとから構成される。カバー２の狭幅部２ｂの側面部には、カバー２と相似形状のカード１１をカード用コネクタ１から排出するためのイジェクタ３が装備されている。
【００２１】
図２は、カード用コネクタ１の要部を下面側から見た斜視図である。インシュレータ４は、多数のコンタクト５を一定のピッチで１列に保持する。カバー２の幅狭部２ｂにおける先端両隅付近には、ストッパ６が設けられる。各ストッパ６は、図４に示されるように、内側ストッパ６ａと外側ストッパ６ｂとから構成される。内側ストッパ６ａは、略直方体状ブロック６ａ１とこれに固定される円柱６ａ２とから構成される。外側ストッパ６ｂは、略直方体状ブロックに構成され、その中央に円柱６ａ２が挿入される丸孔６ｂ１が設けられる。各内側ストッパ６ａには、ねじ孔６ａ３が設けられ、各ねじ孔６ａ３からねじをプリント基板（図示せず）等にねじ込むことによって、カード用コネクタ１は、プリント基板等に固定される。また、円柱６ａ２は、プリント基板等に設けられた孔に挿入されることによって位置決めされる。各外側ストッパ６ｂには、凹部（係合部）６ｂ２と、カード１１がカード用コネクタ１に挿入された際、カード１１の先端と当接する当接部（突き当て面）６ｂ３が設けられる。インシュレータ４の両隅には、凸部（被係合部）４ａが設けられ、各凸部４ａは各凹部６ｂ２と係合する。したがって、インシュレータ４は、両ストッパ６を介してプリント基板等に固定される。
【００２２】
図３は、ストッパ６とカバー２との固定構造を示すためカード用コネクタ１の下面側から見た斜視図である。各外側ストッパ６ｂは、図４に示されるように、上面に低段部６ｂ４が設けられ、低段部６ｂ４と内側ストッパ６ａの略直方体状ブロック６ａ１との間にカバー２の幅狭部２ｂにおける折曲部２ｂ１が挟持されることによって、カバー２は浮き上がることを防止される。
【００２３】
図４は、カード用コネクタ１の分解された状態を示す要部の斜視図である。
【００２４】
図５は、カード用コネクタ１のカバー２に装着されたイジェクタ３の部分の斜視図である。
【００２５】
カード１１のカード用コネクタ１に対する挿入と排出について説明する。イジェクタ３は、コイルスプリング（図示せず）によってカード１１をカード用コネクタ１から排出する方向に付勢している。
【００２６】
カード１１をカード用コネクタ１に挿入すると、カード１１の先端はイジェクタ３のカード当接部３ａ（図６参照）を押し、カード１１の先端は外側ストッパ６ｂの当接部６ｂ３に当接し、イジェクタ３の突出部３ｂは内側ストッパ６ａの当接部６ａ１ａに当接する。当接部６ｂ３とインシュレータ４の底部４ａ３とに段差（図２参照）が設けられているので、カード１１の先端はインシュレータ４に当接しない。この状態で、カード１１の各接点は、カード用コネクタ１の各コンタクト５と接続しており、イジェクタ３はロック機構（図示せず）によってロックされる。
【００２７】
カード１１をカード用コネクタ１から排出するときは、ロック機構を解除すると、イジェクタ３のカード当接部３ａはコイルスプリングの反力によってカード１１の先端を押すので、カード１１はカード用コネクタ１から排出される。
【実施例２】
【００２８】
本発明の実施例２について図７と図８を参照して説明する。実施例２については、実施例１と同様な点の説明を省略し、相違する点のみの説明を行う。
【００２９】
図７はイジェクタ３側から見たカード用コネクタ１の要部の斜視図、図８はイジェクタ３の向側から見たカード用コネクタ１の要部の斜視図を、それぞれ示す。
【００３０】
実施例１では、ストッパ６は内側ストッパ６ａと外側ストッパ６ｂとの２つの部材から構成されるが、実施例２では、ストッパ７は全体として１つの部材に構成される。ストッパ７の一側の上部にはフランジ７ａが設けられ、カバー２の幅狭部２ｂにおける舌片２ｂ２がフランジ７ａの下側に係合することによって、カバー２は浮き上がることを防止される。
【００３１】
また、ストッパ７の他側の上部には、ひさし７ｂが設けられ、カード１１は上方向（カード１１の厚み方向）に移動しようとしても、カード１１の上面がひさし７ｂに当接するので、カード１１は上方向への移動を防止される。更に、舌片２ｂ２も、ひさし７ｂと同様の作用を営む。
【００３２】
本発明の実施例では、カードとイジェクタがそれぞれストッパに当接するが、カード又はイジェクタの一方のみがストッパに当接するように設計変更することができる。
【図面の簡単な説明】
【００３３】
【図１】本発明の実施例１のカード用コネクタにカードが挿入された状態の斜視図である。
【図２】同カード用コネクタの要部を下面側から見た斜視図である。
【図３】ストッパとカバーとの固定構造を示すため同カード用コネクタの下面側から見た斜視図である。
【図４】同カード用コネクタの分解斜視図である。
【図５】同カード用コネクタの同カバーに装着されたイジェクタの部分の斜視図である。
【図６】同カード用コネクタにおけるイジェクタのカード当接部とカードの先端との当接状態の斜視図である。
【図７】本発明の実施例２のカード用コネクタのイジェクタ側から見た要部の斜視図である。
【図８】同カード用コネクタの同イジェクタの向側から見た要部の斜視図である。
【符号の説明】
【００３４】
１  カード用コネクタ
２  カバー
２ａ  幅広部
２ｂ  幅狭部
２ｂ１  折曲部
２ｂ２  舌片
３  イジェクタ
３ａ  カード当接部
３ｂ  突出部
４  インシュレータ
４ａ  凸部（被係合部）
４ａ３  底部
５  コンタクト
６  ストッパ
６ａ  内側ストッパ
６ａ１  略直方体状ブロック
６ａ１ａ  当接部
６ａ２  円柱
６ａ３  ねじ孔
６ｂ  外側ストッパ
６ｂ１  丸孔
６ｂ２  凹部（係合部）
６ｂ３  当接部（突き当て面）
６ｂ４  低段部
７  ストッパ
７ａ  フランジ
７ｂ  ひさし
１１  カード
【図１】
2005203327.tif 000003
【図２】
2005203327.tif 000004
【図３】
2005203327.tif 000005
【図４】
2005203327.tif 000006
【図５】
2005203327.tif 000007
【図６】
2005203327.tif 000008
【図７】
2005203327.tif 000009
【図８】
2005203327.tif 000010